(57)【特許請求の範囲】
【請求項１】
通話機能を備えた機器に用いられるマイク付きイヤフォーンであって、マイクとイヤフォーンとが一体化されたマイク付きイヤフォーンにおいて、発声可能に口を覆うと共に前記イヤフォーンが挿入される一方の耳を覆う口耳カバーを設け、
前記口耳カバーの口カバー部の内部空間と耳カバー部の内部空間との間を伝声可能に伝声通路で連通させ、
口前記耳カバーの口カバー部の内部空間は、口を覆う略半球状の空間であって当該空間の開口部の周縁が口周りに密着するように形成され、耳カバー部の内部空間は、耳を覆う略半楕円球状の空間であって当該空間の開口部の周縁が耳周りに密着するように形成されたことを特徴とするマイク付きイヤフォーン用カバー。
【請求項２】
伝声通路は長手方向に対する横断面が半円状であって当該半円状の両端が顔に当接されるように形成されたことを特徴とする請求項１に記載のマイク付きイヤフォーン用カバー。
【請求項３】
伝声通路はカバー部材の内部を貫通する管状に形成されたことを特徴とする請求項１に記載のマイク付きイヤフォーン用カバー。
【請求項４】
口耳カバーの耳カバー部の内部空間の上端側には、耳の上端部に引っ掛かる掛け部が設けられていることを特徴とする請求項1乃至請求項３の何れかに記載のマイク付きイヤフォーン用カバー。
【請求項５】
マイク付きイヤフォーン用カバーは、頭頂部付近を通って他方の耳側近傍に至るヘッドフォーン型の帯状係止具を備えていることを特徴とする請求項1乃至請求項３の何れかに記載のマイク付きイヤフォーン用カバー。
【請求項６】
マイク付きイヤフォーン用カバーは、口カバー部から他方の耳に掛る眼鏡のつる状係止具を備えていることを特徴とする請求項1乃至請求項３の何れかに記載のマイク付きイヤフォーン用カバー。
【請求項７】
マイク付きイヤフォーン用カバーは、口カバー部から他方の耳に掛るマスクの紐状係止具を備えていることを特徴とする請求項1乃至請求項３の何れかに記載のマイク付きイヤフォーン用カバー。
【請求項８】
マイク付きイヤフォーン用カバーは、口カバーの外部表面側に突出させた摘み突起部を備えていることを特徴とする請求項1乃至請求項７の何れかに記載のマイク付きイヤフォーＡン用カバー。
【発明の詳細な説明】
【技術分野】
【０００１】
本発明のマイク付きイヤフォーン用カバーは、通話機能を備えた機器に用いられるマイク付きイヤフォーンに関するもので、口を発声可能に覆うカバーを設け、当該カバーに前記のマイク付きイヤフォーンのマイクを配設して、当該マイク付きイヤフォーンのイヤフォーンを耳に装着して使用する際に、口からの音声を外部に漏らさぬようにマイクで拾うように構成されたマイク付きイヤフォーン用のカバーである。
【０００２】
本発明でいう通話機能を備えた機器とは、携帯電話、スマートフォーンやアイパット、ノート型やデスクトップ型のパソコン、スマートスピーカ等、通信機能を備えた機器や装置をいう。
【０００３】
又、マイク付きイヤフォーンとは、近時では、例えばスマートフォーンと無線や有線で電気的に接続された周辺機器として、本体のスマートフォーンをカバンやポケットなどに入れた状態、即ち、本体を手にしてない状態のままで、本体のスマートフォーンを用いた会話に用いられるものであって、マイクとイヤフォーンとが別体化されて分離されたもの即ち分離型マイク付きイヤフォーンイヤフォーンや、マイクがイヤフォーンに一体化されたもの即ち一体型マイク付きイヤフォーンイヤフォーンとがある。
【背景技術】
【０００４】
本発明者は、上記のようなマイク付きイヤフォーンにおいて、口から発声される音声が外部に漏れないように、口を発声可能に覆うようなカバーを備え、当該カバーにマイクが配設されたマイク付きイヤフォーン用カバーが従来存在していたかを知らない。
【発明の概要】
【発明が解決しようとする課題】
【０００５】
例えば、スマートフォーンで会話する際、マイク付きイヤフォーンを耳に装着して用いれば、スマートフォーンを手にする必要は無く、フリーハンドの状態で自由に会話することができる利点はあるが、このような場合、耳にする相手の声は、耳に装着されたイヤフォーンからの音声であるが故に、周辺外部に漏れ無いが、自分の発声する声は、そのまま周辺外部に漏れてしまうため内密の会話ができないし、周辺外部の雑音や騒音があると、雑音や騒音に音声が掻き消されて不正確に伝わってしまう、という不都合があった。
このため、内密の会話の際や、雑音や騒音のある際には、静穏な場所、例えば、ビルの合間や電話ボックス或いは会議室等を見つけて、そこで行う必要があった。
【課題を解決するための手段】
【０００６】
本発明は、上記課題の解決を解決するため、自分の発声する声を、周辺外部に漏らさず、周辺外部の雑音や騒音を拾うことなく、相手に伝達できるマイク付きイヤフォーン用カバーの提供を目的としてなされたものである。
【０００７】
請求項１のマイク付きイヤホーン用カバーの発明は、通話機能を備えた機器に用いられるマイク付きイヤフォーンであって、マイクとイヤフォーンとが一体化されたマイク付きイヤフォーンにおいて、発声可能に口を覆うと共に前記イヤフォーンが挿入される一方の耳を覆う口耳カバーを設け、前記口耳カバーの口カバー部の内部空間と耳カバー部の内部空間との間を伝声可能に伝声通路で連通させ、前記口耳カバーの口カバー部の内部空間は、口を覆う略半球状の空間であって当該空間の開口部の周縁が口周りに密着するように形成され、耳カバー部の内部空間は、耳を覆う略半楕円球状の空間であって当該空間の開口部の周縁が耳周りに密着するように形成されたことを特徴とする。
【０００８】
請求項２のマイク付きイヤフォーンの発明は、請求項１に記載のマイク付きイヤフォーン用カバーにおいて、伝声通路は長手方向に対する横断面が半円状であって当該半円状の両端が顔に当接されるように形成されたことを特徴とする。
【０００９】
請求項３のマイク付きイヤフォーン用カバーの発明は、請求項１に記載のマイク付きイヤフォーン用カバーにおいて、伝声通路はカバー部材の内部を貫通する管状に形成されたことを特徴とする。
【００１０】
請求項４のマイク付きイヤフォーン用カバーの発明は、請求項１乃至請求項３の何れかに記載のマイク付きイヤフォーン用カバーにおいて、口耳カバーの耳カバー部の内部空間の上端側には、耳の上端部に引っ掛かる掛け部が設けられていることを特徴とする。
【００１１】
請求項５のマイク付きイヤフォーン用カバーの発明は、請求項１乃至請求項３の何れかに記載のマイク付きイヤフォーン用カバーにおいて、マイク付きイヤフォーン用カバーは、頭頂部付近を通って他方の耳側近傍に至るヘッドフォーン型の帯状係止具を備えていることを特徴とする。
【００１２】
請求項６のマイク付きイヤフォーン用カバーの発明は、請求項１乃至請求項３の何れかに記載のマイク付きイヤフォーン用カバーにおいて、マイク付きイヤフォーン用カバーは、口カバー部から他方の耳に掛る眼鏡のつる状係止具を備えていることを特徴とする。
【００１３】
請求項７のマイク付きイヤフォーン用カバーの発明は、請求項１乃至請求項３の何れかに記載のマイク付きイヤフォーン用カバーにおいて、マイク付きイヤフォーン用カバーは、口カバー部から他方の耳に掛るマスクの紐状係止具を備えていることを特徴とする。
【００１４】
請求項８のマイク付きイヤフォーン用カバーの発明は、請求項１乃至請求項７の何れかに記載のマイク付きイヤフォーン用カバーにおいて、マイク付きイヤフォーン用カバーは、口カバーの外部表面側に突出させた摘み突起部を備えていることを特徴とする。
【発明の効果】
【００１５】
請求項1乃至請求項８の発明によれば、何れも、自分の発声する音声を、周辺外部に漏らさず、周辺外部の雑音や騒音に邪魔されることなく、内密且つ正確に相手に伝えることができるマイク付きイヤフォーン用カバーを提供できる。
【００１６】
請求項４の発明によれば、マイク付きイヤフォーン用カバーとしての口耳カバーを耳に安定化させることができる。
【００１７】
請求項５乃至請求項７の発明によれば、マイク付きイヤフォーン用カバーを両耳に安定化させることができると共に、両手を自由にさせることができる。
【図面の簡単な説明】
【００１８】
【図１】図１は実施例1の口カバーの装置図である。
【図２】図２は図１のＡ−Ａ断面図である。
【図３】図３は実施例１の口カバーに摘み突起を設けた正面図である。
【図４】図４は実施例１の口カバーに眼鏡のつる状係止具を設けた正面図である。
【図５】図５は実施例１の口カバーにマスクの紐状係止具を設けた正面図である。
【図６】図６は実施例２の口耳カバーの正面図である。
【図７】図７は実施例２の口耳カバーの右側面図である。
【図８】図８は実施例２の口耳カバーの左側面図である。
【図９】図９は実施例２の口耳カバーの平面図である。
【図１０】図１０は図６のＢ−Ｂ断面図である。
【図１１】図１１は図６のＣ−Ｃ断面図である。
【図１２】図１２は図６のＤ−Ｄ断面図である。
【図１３】図１３は図６のＥ−Ｅ断面図である。
【図１４】図１４は図６のＦ−Ｆ断面図である。
【図１５】図１５は実施例２の口耳カバーに摘み突起を設けた正面図である。
【図１６】図１６は実施例２の口耳カバーに眼鏡のつる状係止具を設けた正面図である。
【図１７】図１７は実施例２の口耳カバーにマスクの紐状係止具を設けた正面図である。
【発明を実施するための最良の形態】
【００１９】
本発明のマイク付きイヤフォーン用カバーを実施するための最良の形態として、実施例1の図１乃至図５においてマイク付きイヤフォーン用カバーとしての口カバーを、又実施例２の図６乃至１７図においてマイク付きイヤフォーン用カバーとしての口耳カバーを説明する。尚、図２乃至図１７は本発明のマイク付きイヤフォーン用カバーを想像線で示す人に装着させた状態を示した図である。
【実施例１】
【００２０】
図１乃至図５に示すマイク付きイヤフォーン用カバーは、口のみを会話可能に覆う口カバー１０を示すもので、図1は、分離型のマイク付きイヤフォーンの例であって、マイク１１は会話可能に口を覆うように形成された口カバー１０に配置され、一方の耳に挿入されるイヤフォーン１２とは分離されて別体に設けられており、通話機器としてのスマートフォーン１３を本体機器として、各々を有線で接続させたシステムの装置図である。
【００２１】
図２乃至図３は、上記図１の有線接続とは異なり、無線で各々が接続された例であるが、本発明では、通話機器のシステムが有線で接続されているか無線で接続されているかは問わないし、骨伝導手段を用いた通話システムであるか否かも問わず、何れにおいても適用できる。
【００２２】
図２において、図示の口カバー１０は、全体として略半球状の形態で、口の周縁に半球状の縁が略密着して、口からの発声が漏れぬように形成してある。発声の漏れ防止は完全である必要はなく、口カバー１０の外部に漏れる声を耳にした際にその発声の意味が不明となる程度でよい。
【００２３】
要は会話内容が外部に知られなければよいのであるから、口カバー１０は会話可能に口を覆う形態であればよく、その形態や材質は限定されない。又、その材質としては、特に問わないが、合成樹脂等による成形がてきとうであろう。
【００２４】
実施例１のマイク１１は、図１、図３乃至図５に示す通り口カバー１０の内部空間１４側に入力部が除くように配設してあるが、これは一例であって、口カバー１０へのマイク１１の配設形態は図示の例に限定されない。要は、口からの発声を受信できる位置に適当に配設されればよい。
【００２５】
図３において、図示のマイク付きイヤフォーン用カバーとしての口カバー１０には、その外部表面側に、当該口カバー１０を口に当てた状態に手で維持させるための摘み突起部１５を設けている。上記図１に示す口カバー１０には、このような摘み突起を設けていたにため、口カバー１０の表面の適所を手や指先で抑えて、口に押し当てて用いることになるが、このような摘み用の突起を設けることによって、口カバー１０の口への押し当てを安定化させることができる。
【００２６】
図４において、図示のマイク付きイヤフォーン用カバーとしての口カバー１０には、その両側から延在して左右の耳に掛る眼鏡のつる状係止具１６を設けている。上記図１や図３に示す口カバー１０では手や指先で当該口カバー１０を口に押し当てる必要があるため、少なくとも一方の手の自由が奪われてしまうが、図４の口カバー１０では両手が自由となるため、両手で何がしかの作業をしつつ通話することができる。
【００２７】
図５において、図示のマイク付きイヤフォーン用カバーとしての口カバー１０には、その両側から延在して左右の耳に掛るマスクの紐状係止具１７を設けている。この図５の口カバー１０も、上記図４の口カバー１０と同様に、図１や図３の口カバー１０と異なり、両手が自由となるため、両手で何がしかの作業をしつつ通話することできる。
【実施例２】
【００２８】
図６乃至図１７に示すマイク付きイヤフォーン用カバーは、上記実施例１の口カバー１０と実質的に同様の口カバー２０を備え、その口カバー２０の左右何れか一方の側（図では使用者の左側）からその側（左側）の耳（左耳）を覆うようにその側（左側）頬（左頬）に沿って延在する耳カバー部２１を一体的に備えたカバー１００である。
【００２９】
以下、説明の都合上、この実施例２のカバー１００を口耳カバー、口耳カバー１００の口を覆う部分を口カバー部２０、耳を覆う部分を耳カバー部２１、口カバー部２０と耳カバー部２１とを帯状に繋ぐ部分を伝声通路部２２という。
【００３０】
この実施例２のマイク付きイヤフォーン用カバー１００が主として適用されるマイク付きイヤフォーンは、実施例１の図1に示す分離型マイク付きイヤフォーンではなく、
マイクがイヤフォーンに一体化された一体型マイク付きイヤフォーン（図示せず）であり、図６乃至図１７の各図において、この一体型マイク付きイヤフォーンが耳に装着されている状態の図示も省略してある（マイク及びイヤフォーンの図示省略）。
【００３１】
図６及び図７に示すように、この口耳カバー１００の口カバー部２０の内部空間１４０と耳カバー部２１の内部空間２１０との間は伝声可能に連通するように伝声通路２２０を備えた伝声通路部２２を介して帯状に一体化されている。
【００３２】
図１０乃至図１４において、口カバー部２０の内部空間１４０は、口を覆う略半球状の空間であって当該空間の開口部の周縁が口周りに密着するように形成されているが、この内部空間２１０は、会話可能な空間であれば足り、その空間形状の如何は問わない。又、耳カバー部２１の内部空間２１０は、耳を覆う略半楕円球状の空間であって当該空間の開口部の周縁が耳周りに密着するように形成されているが、この内部空間２１０も、口からの発声が、後述するように、上記伝声通路２０を経て、耳に装着されている図示されていないマイク付きイヤフォーンのマイクに届く空間であれば足り、その空間形状の如何は問わない。
【００３３】
伝声通路部２２の伝声通路２２０は、長手方向に対する横断面が半円状であって当該半円状の両端が顔即ち頬の表面に直に当接されるように形成されているが、この内部空間２２０も、口からの発声が、耳に装着されている図示されていないマイク付きイヤフォーンのマイクに届く空間であれば足り、その空間形状の如何は問わない。従って、例えば、伝声通路２２０は、口耳カバー１００の部材の内部を貫通する中空状の管、即ち、単なる管状に形成してもよいし、管の内径形状の如何も問わない。
【００３４】
図１３及び図１４において、耳カバー部２１の内部空間２１０の上端側には、当該耳カバー部２１の端が耳の上端部に引っ掛かる掛け部２１１が、当該耳カバー部２１の部材を曲げて設けている。
この掛け部２１１が耳の上端側に掛ることにより、この口耳カバー１００を装着した際に、少なくとも耳側の口耳カバー１００の顔（口耳）への装着状態を安定化させることができる。
【００３５】
図１５において、図示のマイク付きイヤフォーン用カバーとしての口耳カバー１００の口カバー部２０の外部表面側に、当該口耳カバー１００を口に当てた状態に手で維持させるための摘み突起部１５を設けている。上記の掛け部２１１と相俟ってこのような摘み突起１５を設けることにより、口耳カバー１００の表面の適所を手や指先で抑えて、口に押し当てて用いる際でも、口耳（顔）への装着状態、即ち、押し当てた状態を安定化させることができる。
【００３６】
しかしながら、上記図１５に図示のマイク付きイヤフォーン用カバー（口耳カバー）１００では、装着状態維持のために、少なくとも、一方の手や指先を用いねばならない、という不都合がある。
【００３７】
これに対して、実施例２の図６乃至図１４に示すマイク付きイヤフォーン用カバーとしての口耳カバー１００では、耳カバー部２１の上端部側から頭頂部付近を通って他方の耳側近傍に至るヘッドフォーン型の帯状係止具１９を設け、これによって、当該口耳カバー１００の顔の口と耳への装着状態を極めて安定化させることができ、且つ、両手をも自由にさせることができるようにしてある。
【００３８】
又、図１６に示すマイク付きイヤフォーン用カバーとしての口耳カバー１００では、口カバー部２０から他方の耳に掛る眼鏡のつる状係止具１６０を設けてあり、このつる状係止具１６０と耳カバー部２１の掛け部２１１とを、左右の耳に掛けることによって、当該口耳カバー１００の顔の口と耳への装着状態を極めて安定化させることができ、且つ、両手をも自由にさせることができるようにしてある。
【００３９】
又、図１７に示すマイク付きイヤフォーン用カバーとしての口耳カバー１００では、
口カバー部２０から他方の耳に掛るマスクの紐状係止具１７０を設けてあり、この紐状係止具１７０と耳カバー部２１の掛け部２１１とを、左右の耳に掛けることによって、当該口耳カバー１００の顔の口と耳への装着状態を極めて安定化させることができ、且つ、両手をも自由にさせることができるようにしてある。
【産業上の利用可能性】
【００４０】
本発明は、通話機能を備えた機器に用いられるマイク付きイヤフォーン用のカバーとして広く適用することができる。
【符号の説明】
【００４１】
１０  口カバー部
１１  マイク（マイク付きイヤフォーン）
１２  イヤフォーン（マイク付きイヤフォーン）
１４  内部空間（口カバー）
１５  摘み突起
１６  つる状係止具
１７  紐状係止具
１９  帯状係止具
２０  口カバー部
２１  耳カバー部
２２  伝声通路部
１００  口耳カバー
１４０  内部空間（口カバー部）
１６０  つる状係止具
１７０  紐状係止具
２１０  内部空間（耳カバー部）
２１１  掛け部（耳カバー部）
２２０  伝声通路（伝声通路部）
【要約】
【課題】  自分の発声する声を、周辺外部に漏らさず、周辺外部の雑音や騒音を拾うことなく、相手に伝達できるマイク付きイヤフォーン用のカバーの提供。
【解決手段】  本発明のマイク付きイヤフォーン用カバーは、通話機能を備えた機器（本体機器）に用いられるマイク付きイヤフォーンであって、マイクとイヤフォーンとが別体に分離されたマイク付きイヤフォーンにおいて、発声可能に口を覆う口カバーを設け、当該口カバーにマイクを配設したことを特徴とする。
又、通話機能を備えた機器に用いられるマイク付きイヤフォーンであって、マイクとイヤフォーンとが一体化されたマイク付きイヤフォーンにおいて、発声可能に口を覆うと共に前記イヤフォーンが挿入される一方の耳を覆う口耳カバーを設けたことを特徴とするマイク付きイヤフォーン用カバー
【選択図】  図２【図１】
0006903194.tif 000002
【図２】
0006903194.tif 000003
【図３】
0006903194.tif 000004
【図４】
0006903194.tif 000005
【図５】
0006903194.tif 000006
【図６】
0006903194.tif 000007
【図７】
0006903194.tif 000008
【図８】
0006903194.tif 000009
【図９】
0006903194.tif 000010
【図１０】
0006903194.tif 000011
【図１１】
0006903194.tif 000012
【図１２】
0006903194.tif 000013
【図１３】
0006903194.tif 000014
【図１４】
0006903194.tif 000015
【図１５】
0006903194.tif 000016
【図１６】
0006903194.tif 000017
【図１７】
0006903194.tif 000018